(57)【特許請求の範囲】
【請求項１】
床面（Ｆ）の上方に配置される筐体（３）と、その筐体（３）の内部に収容された冷水タンク（１５）と、その冷水タンク（１５）内の飲料水を冷却する冷却装置（１９）と、前記冷水タンク（１５）内の飲料水を外部に注出する冷水コック（２５）と、前記筐体（３）と床面（Ｆ）との間を上下に仕切るように設置されたサーバートレイ（４）とを有し、
前記サーバートレイ（４）は、前記筐体（３）を受け支えるサーバー載置面（３０）と、そのサーバー載置面（３０）を囲むように設けられた周壁部（３１）と、その周壁部（３１）で囲まれた領域内に配置され、水の有無に応じて水漏れの報知状態と非報知状態との間で変化する水漏れインジケーター（３３）とを有し、
前記サーバートレイ（４）は、前記サーバー載置面（３０）の外側の位置から下方に延びて床面（Ｆ）に接触する支持脚（３５）を有し、
前記水漏れインジケーター（３３）は、前記サーバートレイ（４）の上面に開口して前記支持脚（３５）の内部に延びるフロート収容凹部（５０）と、そのフロート収容凹部（５０）に水が入ったときに水の浮力で上昇するように前記フロート収容凹部（５０）内に挿入された水検出フロート（５１）とを有し、その水検出フロート（５１）は、水の浮力で上昇したときに前記フロート収容凹部（５０）から露出する部分（５３）に水漏れの報知色が付されているウォーターサーバー。
【請求項２】
床面（Ｆ）の上方に配置される筐体（３）と、その筐体（３）の内部に収容された冷水タンク（１５）と、その冷水タンク（１５）内の飲料水を冷却する冷却装置（１９）と、前記冷水タンク（１５）内の飲料水を外部に注出する冷水コック（２５）と、前記筐体（３）と床面（Ｆ）との間を上下に仕切るように設置されたサーバートレイ（４）とを有し、
前記サーバートレイ（４）は、前記筐体（３）を受け支えるサーバー載置面（３０）と、そのサーバー載置面（３０）を囲むように設けられた周壁部（３１）と、その周壁部（３１）で囲まれた領域内に配置され、水の有無に応じて水漏れの報知状態と非報知状態との間で変化する水漏れインジケーター（３３）とを有し、
前記サーバートレイ（４）は、前記サーバー載置面（３０）の外側の位置から下方に延びて床面（Ｆ）に接触する支持脚（３５）を有し、
前記水漏れインジケーター（３３）は、前記サーバートレイ（４）の上面に開口して前記支持脚（３５）の内部に延びるフロート収容凹部（５０）と、そのフロート収容凹部（５０）内に設けられ、水を吸収して膨らむ吸水性ポリマー（５４）と、前記フロート収容凹部（５０）内に水が入ったときに前記吸水性ポリマー（５４）に押し上げられるように前記フロート収容凹部（５０）内に挿入された水検出フロート（５１）とを有し、その水検出フロート（５１）は、前記吸水性ポリマー（５４）で押し上げられたときに前記フロート収容凹部（５０）から露出する部分（５３）に水漏れの報知色が付されているウォーターサーバー。
【請求項３】
前記サーバートレイ（４）は、前記サーバー載置面（３０）と前記周壁部（３１）との間を前記周壁部（３１）に沿って延びる集水溝（３２）を更に有し、その集水溝（３２）に連通するように前記水漏れインジケーター（３３）を配置した請求項１または２に記載のウォーターサーバー。
【請求項４】
前記集水溝（３２）は、前記水漏れインジケーター（３３）に近づくに従って次第に低くなる傾斜を有する請求項３に記載のウォーターサーバー。
【請求項５】
前記支持脚（３５）は、前記サーバー載置面（３０）と床面（Ｆ）との間に自走式掃除ロボット（２）が自走して出入りするロボット収容空間（５）が形成されるように自走式掃除ロボット（２）の背の高さよりも長く形成されている請求項１から４のいずれかに記載のウォーターサーバー。
【請求項６】
前記サーバートレイ（４）と前記筐体（３）は、両者が相対移動しないように締結手段（３４）で締結されている請求項１から５のいずれかに記載のウォーターサーバー。
【発明の詳細な説明】
【技術分野】
【０００１】
この発明は、ウォーターサーバーおよびウォーターサーバー用のサーバートレイに関する。
【背景技術】
【０００２】
従来、主にオフィスや病院などでウォーターサーバーが利用されてきたが、近年、水の安全や健康への関心の高まりから、一般家庭にもウォーターサーバーが普及しつつある。ウォーターサーバーは、通常、筐体と、その筐体の内部に収容された冷水タンクと、その冷水タンク内の飲料水を冷却する冷却装置と、前記冷水タンク内の飲料水を外部に注出する冷水コックとを有し、この冷水コックを操作するだけで、いつでも美味しい飲料水を利用することができる（例えば、特許文献１）。
【先行技術文献】
【特許文献】
【０００３】
【特許文献１】特開２０１１−０４６４４６号公報
【発明の概要】
【発明が解決しようとする課題】
【０００４】
ところで、ウォーターサーバーは、フローリング等の床面に設置されることが多い。そして、ウォーターサーバーから万一水漏れしたときに、その水で床面が濡れると、床面が腐食したり変色したりする原因となる。特に、少しずつ水漏れするとき（例えば、微量の水がにじみ出るように水漏れするとき）は、漏れ出た水が目に見える形として現われにくいので、水漏れの発見が遅れやすく、その結果、床面の腐食等が生じやすい。
【０００５】
この発明が解決しようとする課題は、万一水漏れしたときに、水漏れを早期に発見することが可能なウォーターサーバーを提供することである。
【課題を解決するための手段】
【０００６】
上記課題を解決するために、この発明では以下の構成のウォーターサーバーを提供する。
床面の上方に配置される筐体と、その筐体の内部に収容された冷水タンクと、その冷水タンク内の飲料水を冷却する冷却装置と、前記冷水タンク内の飲料水を外部に注出する冷水コックと、前記筐体と床面との間を上下に仕切るように設置されたサーバートレイとを有し、
前記サーバートレイは、前記筐体を受け支えるサーバー載置面と、そのサーバー載置面を囲むように設けられた周壁部と、その周壁部で囲まれた領域内に配置され、水の有無に応じて水漏れの報知状態と非報知状態との間で変化する水漏れインジケーターとを有するウォーターサーバー。
【０００７】
このようにすると、万一水漏れしたときに、筐体と床面の間を仕切るように設置されたサーバートレイが水を受け止め、サーバートレイに設けられた水漏れインジケーターが水漏れの報知状態に変化するので、早期に水漏れを発見することが可能となる。
【０００８】
前記サーバートレイは、前記サーバー載置面と前記周壁部との間を前記周壁部に沿って延びる集水溝を更に有し、その集水溝に連通するように前記水漏れインジケーターを配置したものを採用すると好ましい。
【０００９】
このようにすると、サーバートレイ上の水が集水溝を通って水漏れインジケーターに到達しやすくなり、早期に水漏れを発見することが可能となる。
【００１０】
さらに、前記集水溝は、前記水漏れインジケーターに近づくに従って次第に低くなる傾斜を有するものを採用すると好ましい。
【００１１】
このようにすると、集水溝に溜まった水が、集水溝の傾斜により水漏れインジケーターに向かって誘導されるので、水漏れした水の量が少ない段階でも、水漏れインジケーターが水漏れ報知状態に変化する。そのため、早期に水漏れを発見することが可能である。
【００１２】
前記サーバートレイとしては、前記サーバー載置面の外側の位置から下方に延びて床面に接触する支持脚を有するものを採用することができる。
【００１３】
このとき、前記水漏れインジケーターとしては、前記サーバートレイの上面に開口して前記支持脚の内部に延びるフロート収容凹部と、そのフロート収容凹部に水が入ったときに水の浮力で上昇するように前記フロート収容凹部内に挿入された水検出フロートとを有し、その水検出フロートは、水の浮力で上昇したときに前記フロート収容凹部から露出する部分に水漏れの報知色が付されているものを採用することができる。
【００１４】
このようにすると、サーバートレイの支持脚の内部を水検出フロートの収容部分として利用しているので、水検出フロートの長さを長く設定することができ、水検出フロートが水の浮力で上昇するときの水検出フロートの上昇距離を大きく設定することができる。そのため、水検出フロートが水の浮力で上昇したときに、水検出フロートがフロート収容凹部から大きく突出し、水漏れを確実に報知することができる。また、電気式の水漏れインジケーターを採用した場合と比較して、水漏れインジケーターの構成が単純なので故障しにくく、動作の信頼性に優れる。
【００１５】
また、前記水漏れインジケーターとしては、前記サーバートレイの上面に開口して前記支持脚の内部に延びるフロート収容凹部と、そのフロート収容凹部内に設けられ、水を吸収して膨らむ吸水性ポリマーと、前記フロート収容凹部内に水が入ったときに前記吸水性ポリマーに押し上げられるように前記フロート収容凹部内に挿入された水検出フロートとを有し、その水検出フロートは、前記吸水性ポリマーで押し上げられたときに前記フロート収容凹部から露出する部分に水漏れの報知色が付されているものを採用することができる。
【００１６】
このようにすると、サーバートレイの支持脚の内部を水検出フロートの収容部分として利用しているので、水検出フロートの長さを長く設定することができ、水検出フロートが吸水性ポリマーで押し上げられるときの水検出フロートの上昇距離を大きく設定することができる。また、吸水性ポリマーの膨張力を利用して水検出フロートを上昇させるので、水の浮力で水検出フロートを上昇させる場合よりも、水検出フロートを大きく上昇させることができる。そのため、水検出フロートが吸水性ポリマーで押し上げられたときに、水検出フロートがフロート収容凹部から大きく突出し、水漏れを確実に報知することができる。また、電気式の水漏れインジケーターを採用した場合と比較して、水漏れインジケーターの構成が単純なので故障しにくく、動作の信頼性に優れる。
【００１７】
前記支持脚は、前記サーバー載置面と床面との間に自走式掃除ロボットが自走して出入りするロボット収容空間が形成されるように自走式掃除ロボットの背の高さよりも長く形成されたものを採用することができる。
【００１８】
このようにすると、サーバートレイの支持脚の内部に収容される水検出フロートの長さを効果的に長く設定することが可能である。サーバー載置面と床面との間に自走式掃除ロボットを収容するので、ウォーターサーバーと自走式掃除ロボットの両方を、省スペースで設置することが可能である。
【００１９】
前記サーバートレイと前記筐体は、両者が相対移動しないように締結手段で締結すると好ましい。
【００２０】
このようにすると、人がウォーターサーバーの筐体にぶつかったり、地震が起きたりしたときにも、ウォーターサーバーの筐体が転倒するのを効果的に防止することが可能となる。
【００２１】
また、この発明では、上記構成のウォーターサーバーに使用することが可能なサーバートレイとして、ウォーターサーバーの筐体を受け支えるサーバー載置面と、そのサーバー載置面を囲むように設けられた周壁部と、その周壁部で囲まれた領域内に配置され、水の有無に応じて水漏れの報知状態と非報知状態との間で変化する水漏れインジケーターとを有するものを提供する。
【発明の効果】
【００２２】
この発明のウォーターサーバーは、万一水漏れしたときに、筐体と床面の間を仕切るように設置されたサーバートレイが水を受け止め、サーバートレイに設けられた水漏れインジケーターが水漏れの報知状態に変化するので、早期に水漏れを発見することが可能である。
【図面の簡単な説明】
【００２３】
【図１】この発明の実施形態のウォーターサーバーの正面図
【図２】図１のII−II線に沿った断面図
【図３】図２のサーバートレイ近傍の拡大断面図
【図４】図３のIV−IV線に沿った断面図
【図５】図３のV−V線に沿った断面図
【図６】図４のVI−VI線に沿った拡大断面図
【図７】図６に示すフロート収容凹部内に水が入った状態を示す拡大断面図
【図８】図６に示す水漏れインジケーターの他の例を示す拡大断面図
【図９】図８に示すフロート収容凹部内に水が入った状態を示す拡大断面図
【発明を実施するための形態】
【００２４】
図１に、この発明の実施形態のウォーターサーバー１と、床面Ｆを自動的に走行して床面Ｆを掃除する自走式掃除ロボット２とを組み合わせたウォーターサーバーユニットを示す。
【００２５】
ウォーターサーバー１は、床面Ｆの上方に配置された筐体３と、筐体３の下端と床面Ｆとの間を上下に仕切るように配置されたサーバートレイ４とを有する。サーバートレイ４と床面Ｆの間には、自走式掃除ロボット２が自走して出入りするロボット収容空間５が形成されている。
【００２６】
図２に示すように、筐体３は、上下方向に延びる筒壁６と、筒壁６の上部に取り付けられた天板７と、筒壁６の下部に取り付けられた底板８とからなる。底板８は、図示しないビスで筒壁６に固定されている。筒壁６は、左右一対の側面板１０と、側面板１０の前縁同士を連結する前面板１１と、側面板１０の後縁同士を連結する後面板１２とで構成されている。この実施形態において、筒壁６は、略円形の外周をもつ円筒状に形成されているが、略方形の外周をもつ角筒状に形成したものを採用してもよい。
【００２７】
筐体３の天板７には、交換式の原水容器１３が着脱可能にセットされている。原水容器１３は、水出口１４を下向きにした姿勢で筐体３の天板７に載置される。原水容器１３の容量は、満水状態で８〜２０リットル程度である。筐体３の天板７には、天板７の上に載置した原水容器１３から筐体３の内部の冷水タンク１５に飲料水を導入する水導入管１６が設けられている。また、筐体３の上部には、原水容器１３を覆う化粧カバー１７が取り付けられている。
【００２８】
筐体３の内部には、低温の飲料水を収容する冷水タンク１５と、高温の飲料水を収容する温水タンク１８とが収容されている。冷水タンク１５には、冷水タンク１５内に収容された飲料水を冷却する冷却装置１９が取り付けられている。冷却装置１９は、冷水タンク１５の外周に巻き付けられた冷媒管２０と、筐体３の底板８に固定されたコンプレッサ２１と、筐体３の後面板１２に固定された凝縮器２２とを配管２３で接続して構成されている。冷媒管２０は、コンプレッサ２１の作動によりマイナス１５℃からマイナス３０℃程度に冷却され、冷水タンク１５内の飲料水を低温（５℃程度）に保つようになっている。
【００２９】
冷水タンク１５の底面には、冷水タンク１５内の低温の飲料水を筐体３の外部に注出する冷水注出管２４が接続されている。冷水注出管２４には、筐体３の外部から操作可能な冷水コック２５が設けられ、この冷水コック２５を開くことによって冷水タンク１５から低温の飲料水をカップ等に注出できるようになっている。ここで、冷水コック２５は筐体３の前側に配置されている（すなわち、冷水コック２５のある側が筐体３の前側、その反対側が筐体３の後側である）。冷水タンク１５の飲料水の容量は、原水容器１３の容量よりも小さく、２〜４リットル程度である。
【００３０】
温水タンク１８は、冷水タンク１５の下方に配置されている。温水タンク１８には、温水タンク１８内に収容された飲料水を加熱する加熱装置２６が取り付けられている。図では、加熱装置２６にシースヒーターを採用した例を示しているが、バンドヒーターを採用することもできる。シースヒーターは、金属製のパイプの中に通電により発熱する発熱線を収容したものであり、温水タンク１８の壁面を貫通して温水タンク１８の内部を延びるように取り付けられる。バンドヒーターは、通電により発熱する発熱線が埋め込まれた円筒形の発熱体であり、温水タンク１８の外周に密着して取り付けられる。加熱装置２６は、温水タンク１８内の飲料水を高温（９０℃程度）に保つ。
【００３１】
温水タンク１８の上面には、温水タンク１８内の高温の飲料水を筐体３の外部に注出する温水注出路２７が接続されている。温水注出路２７には、筐体３の外部から操作可能な温水コック２８が設けられ、この温水コック２８を開くことによって温水タンク１８から高温の飲料水をカップ等に注出できるようになっている。温水コック２８は、冷水コック２５と同様に筐体３の前側に配置されている。温水タンク１８の容量は１〜２リットル程度である。
【００３２】
冷水タンク１５と温水タンク１８はタンク接続管２９を介して連通しており、温水タンク１８から飲料水を注出すると、その飲料水と同量の飲料水が、タンク接続管２９を通って冷水タンク１５から温水タンク１８に流入し、温水タンク１８が常に満水状態に保たれるようになっている。
【００３３】
図３、図４に示すように、サーバートレイ４は、ウォーターサーバー１の筐体３を受け支えるサーバー載置面３０と、上方から見てサーバー載置面３０を囲むように設けられた周壁部３１と、サーバー載置面３０と周壁部３１との間を周壁部３１に沿って延びる集水溝３２と、周壁部３１で囲まれた領域内に配置した水漏れインジケーター３３とを有する。
【００３４】
サーバー載置面３０は、サーバー載置面３０に載置された筐体３を安定して支持することができるように、ウォーターサーバー１の筐体３の底板８と同じ面積かそれよりも広い面積を有する面とされている。また、サーバー載置面３０は、図では、底板８の形状の異なる複数種類の筐体３を使用可能とするために水平な平面とされている。
【００３５】
周壁部３１は、サーバー載置面３０よりも高い位置まで突出する部分がサーバー載置面３０を囲むように連なった形状を有し、サーバー載置面３０に載置した筐体３から万一水漏れしたときに、サーバー載置面３０よりも高い位置まで水を堰き止めることが可能となっている。
【００３６】
図４に示すように、集水溝３２は、上方から見て、ウォーターサーバー１の筐体３の底板８を囲むように環状に延びている。水漏れインジケーター３３は、ウォーターサーバー１の筐体３の前側に、左右に間隔をあけて一対設けられており、集水溝３２は、これらの水漏れインジケーター３３に連通するように配置されている。集水溝３２は、水漏れインジケーター３３に近づくに従って次第に低くなる傾斜を有する。具体的には、集水溝３２には、サーバー載置面３０の後側中央の位置から左右それぞれの水漏れインジケーター３３に向かって溝底が低くなるように傾斜が設けられている。また、集水溝３２には、サーバー載置面３０の前側中央の位置から左右それぞれの水漏れインジケーター３３に向かって溝底が低くなるように傾斜が設けられている。
【００３７】
サーバートレイ４と筐体３は、両者が相対移動しないように締結手段３４で締結されている。この実施形態では、筐体３の底板８が、筐体３の筒壁６よりも外側に突出する張り出し部８ａを有する。そして、締結手段３４は、底板８の張り出し部８ａを間に挟んでサーバー載置面３０の上側に対向するようにサーバートレイ４の周壁部３１に取り付けられた押さえ板であり、この押さえ板で底板８の張り出し部８ａを押さえ付けることによって、サーバートレイ４に対する筐体３の相対移動を阻止するようになっている。
【００３８】
図３、図５に示すように、サーバートレイ４は、サーバー載置面３０の外側の位置から下方に延びて床面Ｆに接触する複数の支持脚３５，３６を有する。複数の支持脚３５，３６は、ウォーターサーバー１の筐体３の前側に位置する左右一対の支持脚３５と、筐体３の後側に位置する支持脚３６とからなる。それぞれの支持脚３５，３６は、サーバー載置面３０と床面Ｆとの間に自走式掃除ロボット２を収容するロボット収容空間５が形成されるように自走式掃除ロボット２の背の高さよりも長く形成されている。また、前側の左右一対の支持脚３５の間隔は、自走式掃除ロボット２の幅よりも大きく設定されており、自走式掃除ロボット２がサーバートレイ４の前側から左右一対の支持脚３５の間を通ってロボット収容空間５に自走して出入りできるようになっている。
【００３９】
自走式掃除ロボット２は、床面Ｆを走行するための走行装置４０と、床面Ｆのゴミを取り除く集塵装置４１と、内蔵の充電池４２とを有し、その充電池４２から供給される電力で走行装置４０と集塵装置４１を駆動するようになっている。自走式掃除ロボット２は、この実施形態では、図５に示すように、上方から見たときに２５〜３５ｃｍの直径をもつ円形状とされている。また、自走式掃除ロボット２は、床面Ｆを走行している状態での床面Ｆから上面までの高さが５〜１０ｃｍとされている。
【００４０】
ロボット収容空間５には、自走式掃除ロボット２をロボット収容空間５内に収容した状態で充電池４２に充電を行なう充電ターミナル４３が設置されている。充電ターミナル４３には、自走式掃除ロボット２が自走してロボット収容空間５に入ったときに自走式掃除ロボット２と接触する位置に充電端子４４が設けられている。ここで、ウォーターサーバー１の筐体３の後側に位置する支持脚３６と充電ターミナル４３とは、両者が相対移動しないようにボルト等の固定手段（図示せず）で締結されている。
【００４１】
ロボット収容空間５の上下方向の幅は、自走式掃除ロボット２の高さよりも０．５〜５．０ｃｍ程度大きく設定されている。０．５ｃｍよりも大きく設定することにより自走式掃除ロボット２とサーバートレイ４の干渉を確実に防止することができ、５．０ｃｍよりも小さく設定することにより、サーバートレイ４の支持脚３５，３６の長さを抑えて、ウォーターサーバー１の筐体３の姿勢を安定させることができる。また、サーバートレイ４は、床面Ｆに設置したときの占有面積を抑えるために、上方から見たときに一辺が５０ｃｍ（好ましくは４５ｃｍ）の仮想正方形内に収まる大きさとされている。
【００４２】
図６に示すように、水漏れインジケーター３３は、サーバートレイ４の上面に開口して支持脚３５の内部に延びるフロート収容凹部５０と、フロート収容凹部５０に挿入された水検出フロート５１とを有する。フロート収容凹部５０は、集水溝３２からフロート収容凹部５０に水が流入したときにその水が床面Ｆに漏れ出さないように閉じた構造となっている。水検出フロート５１は、頭部５２と、頭部５２から下方に延びる胴部５３とを有する。フロート収容凹部５０に水が存在しないとき、水検出フロート５１の頭部５２は外部に露出し、水検出フロート５１の胴部５３はフロート収容凹部５０内に隠れて、外部から見えない状態となっている。
【００４３】
水検出フロート５１は、全体として水よりも小さい比重をもつように形成され、図７に示すように、フロート収容凹部５０に水が入ったときに水の浮力で上昇するようになっている。図では、水検出フロート５１として、非発泡樹脂で表面を覆った中空構造のものを採用しているが、発泡樹脂で全体を成形したもの等を採用することも可能である。
【００４４】
水検出フロート５１の頭部５２には、サーバートレイ４の周壁部３１の表面と同じ色が付されている。一方、水検出フロート５１の胴部５３（つまり水の浮力で上昇したときにフロート収容凹部５０から露出する部分）には、水漏れの報知色が付されている。サーバートレイ４の周壁部３１に、黒色、灰色、白色、水色、茶色等の色が付されているとき、水漏れの報知色としては、サーバートレイ４の周壁部３１の色とは異なる色が挙げられ、例えば、赤色、黄色等である。赤色と黄色を交互に付してもよい。
【００４５】
この水漏れインジケーター３３は、水の有無に応じて、水漏れの報知状態と非報知状態との間で変化する。具体的には、フロート収容凹部５０内に水が存在しないときは、図６に示すように、水検出フロート５１が下降した状態なので、水検出フロート５１の胴部５３に付された水漏れの報知色が外部に見えず、水漏れの非報知状態となる。そして、フロート収容凹部５０内に水が入ったときは、図７に示すように、水検出フロート５１が水の浮力で上昇し、水検出フロート５１の胴部５３に付された水漏れの報知色が外部に見えるようになり、水漏れの報知状態となる。
【００４６】
図２に示すように、ウォーターサーバー１の筐体３には、冷却装置１９、加熱装置２６、およびこれらの装置の作動を制御する図示しない制御回路とに電源を供給する電源コード６０が設けられている。充電ターミナル４３には、電源コンセント６１に接続される電源コード６２が設けられている。また、充電ターミナル４３には、電源コード６２から分岐して電源を供給する電源タップ６３が設けられている。電源タップ６３には、ウォーターサーバー１の電源コード６０の先端に設けられた差込プラグ６４が接続される。
【００４７】
このウォーターサーバー１は、万一水漏れして、筐体３から水が漏れだしたときに、筐体３と床面Ｆの間を仕切るように設置されたサーバートレイ４が水を受け止め、床面Ｆへの水の流出を防止する。そして、このときサーバートレイ４に設けられた水漏れインジケーター３３が水漏れの報知状態に変化するので、早期に水漏れを発見することが可能である。特に、ウォーターサーバー１の筐体３から少しずつ水漏れするとき（例えば、微量の水がにじみ出るように水漏れするとき）は、漏れ出た水が目に見える形として現われにくいので、水漏れの発見が遅れやすく、その結果、床面Ｆの腐食等が生じやすいが、このような場合にも、早期に水漏れを発見して、床面Ｆの腐食等を防止することが可能である。
【００４８】
また、このウォーターサーバー１は、サーバートレイ４のサーバー載置面３０と周壁部３１の間に、水漏れインジケーター３３に連通する集水溝３２が設けられているので、サーバートレイ４上の水が集水溝３２を通って水漏れインジケーター３３に到達しやすく、早期に水漏れを発見することが可能である。
【００４９】
また、このウォーターサーバー１は、サーバートレイ４の集水溝３２が水漏れインジケーター３３に近づくに従って次第に低くなる傾斜を有するので、集水溝３２に溜まった水が、集水溝３２の傾斜により水漏れインジケーター３３に向かって誘導され、水漏れした水の量が少ない段階でも、水漏れインジケーター３３が水漏れ報知状態に変化する。そのため、早期に水漏れを発見することが可能である。
【００５０】
また、このウォーターサーバー１は、サーバートレイ４の支持脚３５の内部を水検出フロート５１の収容部分として利用しているので、水検出フロート５１の長さを長く設定することができ、水検出フロート５１が水の浮力で上昇するときの水検出フロート５１の上昇距離を大きく設定することができる。そのため、水検出フロート５１が水の浮力で上昇したときに、水検出フロート５１がフロート収容凹部５０から大きく突出し、水漏れを確実に報知することができる。また、電気式の水漏れインジケーターを採用した場合と比較して、水漏れインジケーター３３の構成が単純なので故障しにくく、動作の信頼性に優れる。
【００５１】
また、このウォーターサーバー１は、サーバー載置面３０と床面Ｆとの間に自走式掃除ロボット２を収容するので、ウォーターサーバー１と自走式掃除ロボット２の両方を、省スペースで設置することが可能である。
【００５２】
また、このウォーターサーバー１は、サーバートレイ４の支持脚３５が、サーバー載置面３０と床面Ｆとの間に自走式掃除ロボット２が自走して出入りするロボット収容空間５が形成されるように自走式掃除ロボット２の背の高さよりも長く形成されているので、サーバートレイ４の支持脚３５の内部に収容される水検出フロート５１の長さを効果的に長く設定することが可能である。
【００５３】
また、このウォーターサーバー１は、サーバートレイ４と筐体３が相対移動しないように両者が締結手段３４で締結されているので、人がウォーターサーバー１の筐体３にぶつかったり、地震が起きたりしたときにも、ウォーターサーバー１の筐体３が転倒するのを効果的に防止することが可能であり、安全性に優れる。
【００５４】
図８、図９に、水漏れインジケーター３３の他の例を示す。上記実施形態に対応する部分は同一の符号を付して説明を省略する。
【００５５】
フロート収容凹部５０内には、吸水性ポリマー５４が設けられている。水検出フロート５１は、フロート収容凹部５０の内底面５０ａと対向する下端面５１ａを有する。吸水性ポリマー５４は、水検出フロート５１の下端面５１ａとフロート収容凹部５０の内底面５０ａとの間に配置されている。吸水性ポリマー５４は、水を吸収して自重の１００倍以上に膨らむものが使用される。このような吸水性ポリマー５４として、例えば、ポリアクリル酸ナトリウムが挙げられる。
【００５６】
この水漏れインジケーター３３も、上記実施形態と同様に、水の有無に応じて、水漏れの報知状態と非報知状態との間で変化する。具体的には、フロート収容凹部５０内に水が存在しないときは、図８に示すように、水検出フロート５１が下降した状態なので、水検出フロート５１の胴部５３に付された水漏れの報知色が外部に見えず、水漏れの非報知状態となる。そして、フロート収容凹部５０内に水入ったときは、図９に示すように、フロート収容凹部５０内の吸水性ポリマー５４が水を吸収して膨張し、その膨張した吸水性ポリマー５４が水検出フロートの下端面５１ａを押し上げることで水検出フロート５１が上昇し、水検出フロート５１の胴部５３に付された水漏れの報知色が外部に見えるようになり、水漏れの報知状態となる。
【００５７】
図８および図９に示す水漏れインジケーター３３を使用すると、吸水性ポリマー５４の膨張力を利用して水検出フロート５１を上昇させるので、水の浮力で水検出フロート５１を上昇させる場合よりも、水検出フロート５１を大きく上昇させることができる。そのため、水検出フロート５１が吸水性ポリマー５４で押し上げられたときに、水検出フロート５１がフロート収容凹部５０から大きく突出し、水漏れを確実に報知することができる。
【００５８】
上記実施形態では、水漏れインジケーター３３として、水検出フロートを用いたものを例に挙げて説明したが、他の形式の水漏れインジケーター３３を採用することも可能である。例えば、水に濡れると色が変わる素材を用いた水漏れインジケーター３３を使用してもよい。
【００５９】
また、上記実施形態では、交換式の原水容器１３から冷水タンク１５に飲料水を導入するタイプのウォーターサーバー１を例に挙げて説明したが、この発明は、上水道から浄水フィルタを介して冷水タンク１５に飲料水を導入するタイプのウォーターサーバーにも適用することができる。
【符号の説明】
【００６０】
１        ウォーターサーバー
２        自走式掃除ロボット
３        筐体
４        サーバートレイ
５        ロボット収容空間
１５      冷水タンク
１９      冷却装置
２５      冷水コック
３０      サーバー載置面
３１      周壁部
３２      集水溝
３３      水漏れインジケーター
３４      締結手段
３５      支持脚
５０      フロート収容凹部
５１      水検出フロート
５３      胴部
５４      吸水性ポリマー
Ｆ        床面
【要約】
【課題】万一水漏れしたときに、水漏れを早期に発見することが可能なウォーターサーバーを提供する。
【解決手段】ウォーターサーバー１は、筐体３と床面Ｆとの間を上下に仕切るように設置されたサーバートレイ４を有する。サーバートレイ４は、筐体３を受け支えるサーバー載置面３０と、そのサーバー載置面３０を囲むように設けられた周壁部３１と、その周壁部３１で囲まれた領域内に配置され、水の有無に応じて水漏れの報知状態と非報知状態との間で変化する水漏れインジケーター３３とを有する。
【選択図】図１【図１】
0005583292.tif 000002
【図２】
0005583292.tif 000003
【図３】
0005583292.tif 000004
【図４】
0005583292.tif 000005
【図５】
0005583292.tif 000006
【図６】
0005583292.tif 000007
【図７】
0005583292.tif 000008
【図８】
0005583292.tif 000009
【図９】
0005583292.tif 000010